【手続補正書】
【提出日】平成28年12月28日(2016.12.28)
【手続補正１】
【補正対象書類名】明細書
【補正対象項目名】００２３
【補正方法】変更
【補正の内容】
【００２３】
また、本発明に係るコンピュータは、出力部と、各ページに所定の項目情報が含まれる複数のページの各ページ番号をスクロール可能に表示するためのページ番号表示データを作成して出力部に出力させる表示データ作成部と、ユーザにより各ページ番号が表示された表示領域内の２点が指定された場合に、２点間の距離と表示領域内に表示された各ページ番号間の距離とに基づく特定のページ数分のページ情報を取得するページ情報取得部と、を備え、表示データ作成部は、特定のページ数分のページ情報に対応するページに含まれる項目情報を表示するための項目表示データを作成して出力部に出力させる。
また、本発明に係る表示データ作成方法は、出力部を備えるコンピュータにおける表示データ作成方法であって、各ページに一連の複数の項目情報が分割されて含まれる複数のページの各ページ番号をスクロール可能に表示するためのページ番号表示データを作成して出力部に出力させ、各ページ番号が表示された第１領域でユーザにより指示又は指定されたページ番号を第１領域と異なる第２領域に表示するための第２ページ番号表示データを作成して出力部に出力させる、ことを含む。
また、本発明に係る表示データ作成方法において、第２領域には、ユーザにより指定されたページ番号として、第１領域でユーザにより指示された２点に対応するページ番号の範囲が表示されることが好ましい。
また、本発明に係る表示データ作成方法において、項目情報は、クエストのステージに関する情報、又は、バトルの対戦相手に関する情報であることが好ましい。
また、本発明に係る表示データ作成方法において、さらに、ユーザにより指定されたページ番号に対応するページに含まれる項目情報を表示するための項目表示データを作成して出力部に出力させることが好ましい。
また、本発明に係る表示データ作成方法において、項目表示データは、Ａｊａｘ（登録商標）を用いて作成されることが好ましい。
また、本発明に係る表示データ作成方法において、出力部は、項目情報を表示する端末と通信を行う通信部であることが好ましい。
また、本発明に係る制御プログラムは、出力部を備えるコンピュータにおける制御プログラムであって、コンピュータに、各ページに一連の複数の項目情報が分割されて含まれる複数のページの各ページ番号をスクロール可能に表示するためのページ番号表示データを作成して出力部に出力させ、各ページ番号が表示された第１領域でユーザにより指示又は指定されたページ番号を第１領域と異なる第２領域に表示するための第２ページ番号表示データを作成して出力部に出力させる、ことをコンピュータに実行させる。
また、本発明に係るコンピュータは、出力部と、各ページに一連の複数の項目情報が分割されて含まれる複数のページの各ページ番号をスクロール可能に表示するためのページ番号表示データを作成して出力部に出力させる表示データ作成部と、を備え、表示データ作成部は、各ページ番号が表示された第１領域でユーザにより指示又は指定されたページ番号を第１領域と異なる第２領域に表示するための第２ページ番号表示データを作成して出力部に出力させる。
また、本発明に係る表示データ作成方法は、出力部を備えるコンピュータにおける表示データ作成方法であって、各ページに所定の項目情報が含まれる複数のページの各ページ番号をスクロール可能に表示するためのページ番号表示データを作成して出力部に出力させ、ユーザにより所定のページ番号が指示又は指定された場合に、指示又は指定されたページ番号を含む複数のページ番号に対応するページに含まれる項目情報を表示するための項目表示データを作成して出力部に出力させる、ことを含む。
また、本発明に係る表示データ作成方法において、複数のページ番号は、指示又は指定されたページ番号から特定のページ数分のページ番号であることが好ましい。
また、本発明に係る表示データ作成方法において、さらに、ユーザにより各ページ番号が表示された表示領域内の２点が指示又は指定され、複数のページ番号は、指示又は指定されたページ番号の位置と表示領域内における２点の位置との位置関係から定められることが好ましい。
また、本発明に係る表示データ作成方法において、項目情報は、クエストのステージに関する情報、又は、バトルの対戦相手に関する情報であることが好ましい。
また、本発明に係る表示データ作成方法において、項目表示データは、Ａｊａｘ（登録商標）を用いて作成されることが好ましい。
また、本発明に係る表示データ作成方法において、出力部は、項目情報を表示する端末と通信を行う通信部であることが好ましい。
また、本発明に係る制御プログラムは、出力部を備えるコンピュータにおける制御プログラムであって、コンピュータに、各ページに所定の項目情報が含まれる複数のページの各ページ番号をスクロール可能に表示するためのページ番号表示データを作成して出力部に出力させ、ユーザにより所定のページ番号が指示又は指定された場合に、指示又は指定されたページ番号を含む複数のページ番号に対応するページに含まれる項目情報を表示するための項目表示データを作成して出力部に出力させることを実行させる。
また、本発明に係るコンピュータは、出力部と、各ページに所定の項目情報が含まれる複数のページの各ページ番号をスクロール可能に表示するためのページ番号表示データを作成して出力部に出力させる表示データ作成部と、を備え、表示データ作成部は、ユーザにより所定のページ番号が指示又は指定された場合に、指示又は指定されたページ番号を含む複数のページ番号に対応するページに含まれる項目情報を表示するための項目表示データを作成して出力部に出力させる。
【手続補正２】
【補正対象書類名】特許請求の範囲
【補正対象項目名】全文
【補正方法】変更
【補正の内容】
【特許請求の範囲】
【請求項１】
出力部を備えるコンピュータにおける表示データ作成方法であって、
各ページに所定の項目情報が含まれる複数のページの各識別番号を表示するための番号表示データを作成して前記出力部に出力させ、
ユーザにより前記各識別番号が表示された表示領域内で指示又は指定された２点に基づく特定のページ数分のページ情報を取得し、
前記特定のページ数分のページ情報に対応するページに含まれる項目情報を表示するための項目表示データを作成して前記出力部に出力させる、
ことを含むことを特徴とする表示データ作成方法。
【請求項２】
前記表示領域内に表示された前記各識別番号の中からユーザによりページを指示又は指定することをさらに含み、
前記特定のページ数分のページ情報には、前記指示又は指定されたページが含まれる、請求項１に記載の表示データ作成方法。
【請求項３】
前記特定のページ数分のページ情報は、前記指示又は指定されたページから前記特定のページ数分のページに付された番号である、請求項２に記載の表示データ作成方法。
【請求項４】
前記表示領域内に表示された前記各識別番号の中からユーザによりページを指示又は指定することをさらに含み、
前記特定のページ数分のページ情報は、前記表示領域内における前記指示又は指定されたページの位置と前記２点の位置との位置関係から定められる、請求項１に記載の表示データ作成方法。
【請求項５】
前記表示領域内において、前記各識別番号はスクロール可能に表示され、
前記表示領域内で指示又は指定された２点は、前記表示領域内の２点を指示又は指定するユーザのスワイプ操作が完了した時に指示又は指定されていた２点である、請求項１〜４の何れか一項に記載の表示データ作成方法。
【請求項６】
前記表示領域内において、前記各識別番号はスクロール可能に表示され、
前記表示領域内で指示又は指定された２点は、前記表示領域内の２点を指示又は指定するユーザのスワイプ操作に応じて指示又は指定されている２点である、請求項１〜４の何れか一項に記載の表示データ作成方法。
【請求項７】
前記スワイプ操作に応じて指示又は指定されている２点に対応する識別番号を表示するための指示番号表示データを作成して前記出力部に出力させることをさらに含む、請求項５または６に記載の表示データ作成方法。
【請求項８】
前記項目情報は、クエストのステージに関する情報、又は、バトルの対戦相手に関する情報である、請求項１〜７の何れか一項に記載の表示データ作成方法。
【請求項９】
前記項目表示データは、Ａｊａｘ（登録商標）を用いて作成される、請求項１〜８の何れか一項に記載の表示データ作成方法。
【請求項１０】
前記出力部は、前記項目情報を表示する端末と通信を行う通信部である、請求項１〜９の何れか一項に記載の表示データ作成方法。
【請求項１１】
出力部を備えるコンピュータにおける制御プログラムであって、前記コンピュータに、
各ページに所定の項目情報が含まれる複数のページの各識別番号を表示するための番号表示データを作成して前記出力部に出力させ、
ユーザにより前記各識別番号が表示された表示領域内で指示又は指定された２点に基づく特定のページ数分のページ情報を取得し、
前記特定のページ数分のページ情報に対応するページに含まれる項目情報を表示するための項目表示データを作成して前記出力部に出力させる、
ことを実行させることを特徴とする制御プログラム。
【請求項１２】
出力部と、
各ページに所定の項目情報が含まれる複数のページの各識別番号を表示するための番号表示データを作成して前記出力部に出力させる表示データ作成部と、を備え、
前記表示データ作成部は、ユーザにより前記各識別番号が表示された表示領域内で指示又は指定された２点に基づく特定のページ数分のページ情報を取得し、前記特定のページ数分のページ情報に対応するページに含まれる項目情報を表示するための項目表示データを作成して前記出力部に出力させる、
ことを特徴とするコンピュータ。